Podtech/llm-jp-corpus-v4-ja_patent huggingface dataset:
(57)【要約】【課題】  複数本のベルトが掛けられるベルトハンガーを部屋の壁、または洋服ダンスのドアの裏面又は側壁に取り付けて使用するものであって、特に形状の異なるどのようなバックル付きベルトも整然と掛けられるようにした。【解決手段】  横長な基板２の両側にロッド支持板３、４を各垂設し、この支持板３、４に２本のロッド５、６を上下及び前後に位置をずらして平行に保持させるようにした。また前記基板２と上方のロッド５との間隙は、バックル部分が余裕を持って掛けられるほどに広くし、またロッド５、６の上下の間隙はベルトの厚みほどに設定すると共に、その前後の間隙は僅少に設定した。さらに基板２の略中央に中間支持板７を垂設し、前記ロッド５、６を中間支持板７の穴７ａ、７ｂに挿通するようにした。【選択図】  図１
2006087679.tif 000002
【特許請求の範囲】
【請求項１】
横長な基板（２）の両側にロッド支持板（３、４）を各垂設し、この支持板（３、４）に２本のロッド（５、６）を上下及び前後に位置をずらして平行に保持させるようにしたベルトハンガー。
【請求項２】
前記基板（２）と上方のロッド（５）との間隙は、バックル部分が余裕を持って掛けられるほどに広くし、またロッド（５、６）の上下の間隙はベルトの厚みほどに設定すると共に、その前後の間隙は僅少に設定した請求項１記載のベルトハンガー。
【請求項３】
前記基板（２）の略中央に中間支持板（７）を垂設し、前記ロッド（５、６）を中間支持板（７）の穴（７ａ、７ｂ）に挿通するようにした請求項１記載のベルトハンガー。
【発明の詳細な説明】
【技術分野】
【０００１】
この発明は、複数本のベルトを整然と掛けることが出来るベルトハンガーに関する。
【背景技術】
【０００２】
かかるベルトハンガーに関して従来から色々と提案されており、特許文献１には横長なハンガー部分を数段設けてそのハンガー間の長溝にバックルを掛けるようにしたものが、また特許文献２にハンガーの板厚部分に長溝を穿設し、その長溝にベルトを滑り込ませるようにしたものが、また特許文献３にピン止め式ベルト用のベルトハンガーが開示されている。そしていずれもベルト掛けの上部にフックを設けて、そのフックを洋服ダンスのハンガー掛けまたは壁面に突設したピンに掛けて使用するものである。
【特許文献１】実開昭６１―９０７５号公報
【特許文献２】特開平９―３７９１７号公報
【特許文献３】特開平８―１６４０５１号公報
【発明の開示】
【発明が解決しようとする課題】
【０００３】
本発明は、複数本のベルトが掛けられるベルトハンガーを部屋の壁、または洋服ダンスのドアの裏面又は側壁に取り付けて使用するものであって、特に形状の異なるどのようなバックル付きベルトも整然と掛けられるように工夫したものである。
【課題を解決するための手段】
【０００４】
上記、目的を達成するために本発明のベルトハンガーは、請求項１記載のように横長な基板２の両側にロッド支持板３、４を各垂設し、この支持板３、４に２本のロッド５、６を上下及び前後に位置をずらして平行に保持させるようにした。
【０００５】
また請求項２に記載のように、前記基板２と上方のロッド５との間隙は、バックル部分が余裕を持って掛けられるほどに広くし、またロッド５、６の上下の間隙はベルトの厚みほどに設定すると共に、その前後の間隙は僅少に設定した。
【０００６】
さらに請求項３記載のように、基板２の略中央に中間支持板７を垂設し、前記ロッド５、６を中間支持板７の穴７ａ、７ｂに挿通するようにした。
【発明の効果】
【０００７】
本発明は以上のように構成したので実施例に詳述のように、ピンフック式バックルの場合は、バックルのピンをロッドに掛けるようにし、またスライド式バックルの場合は、バックル部分をロッドに掛けるようにする。また掛け止め式バックルの場合は、バックル部分を内側に折り込んで下方のロッド６に掛けるようにする。
【０００８】
またロッド５、６の上下の間隙をベルトの厚みほどに設定すると共に、その前後の間隙は僅少に設定したのでベルト１１の先端部分をロッド５、６間に差込み挟持させて止めることも出来るなどバックルの形状の異なるいかなるベルトも整然と並べ掛けすることが出来るという効果がある。
【発明を実施するための最良の形態】
【０００９】
横長な矩形の基板の両側にロッド支持板を各垂設し、この支持板にベルトを掛ける２本のロッドを上下及び前後に位置をずらして平行にその両端を保持させるようにした。
【実施例１】
【００１０】
本発明のベルトハンガー１は、図１に示すように横長な矩形の基板２の両側にロッド支持板３、４を各垂設し、この支持板３、４にベルトを掛ける２本のロッド５、６を上下及び前後に位置をずらして平行にその両端を保持させるようにしたものである。すなわちこの２本のロッド５、６は上下２段に平行に、また下方のロッド６は上方のロッド５より少し前方にずらして支持板３、４に取り付けられている。また複数本のベルトを掛けてもロッド５、６が下方に変形しないように基板２の略中央に図３に示す中間支持板７を垂設し、前記ロッド５、６を穴７ａ、７ｂに挿通するようにした。またこのベルトハンガー１を室内壁や、洋服ダンスの扉の内側、または側壁に取り付けるために基板２の両端にビス穴８を設けてビス９で止めるようにした。
【００１１】
基板２と上方のロッド５との間隙は、図２及び図４に示すようにバックル部分が余裕を持って掛けられるほどの広さとし、またロッド５、６の上下の間隙は通常の男子ベルトの厚みほどに設定する。またその前後の間隙は図２に示すようにベルトの厚みより薄く僅少に設定してある。
【００１２】
かかる構成としたベルトハンガー１を室内壁や、洋ダンスの扉の内側、または側壁に取り付けて使用する場合は、図４に示すようにピンフック式バックル(イ)、(ロ)の場合は、ロッド５、６にバックル１０のピン１０ａを掛けるようにする。またスライド式バックル(ハ)の場合は、ベルト１１を上方のロッド５と基板２間に挿通し、バックル１０部分をロッド５に掛けるようにする。また掛け止め式バックル(ニ)の場合は、バックル１０部分を内側に折り込んで下方のロッド６に掛けるようにする。また女性用の装飾バックル(ホ)の場合は色々なデザインがあるのでベルト１１の先端部分をロッド５、６間に差込み挟持させて止めるようにする。
【図面の簡単な説明】
【００１３】
【図１】本発明ベルトハンガーの斜視図である。
【図２】図１の平面図である。
【図３】中間支持板の斜視図である。
【図４】使用状態を示す斜視図である。
【符号の説明】
【００１４】
１  ベルトハンガー
２  基板
ロッド支持板
５、６  ロッド
７  中間支持板
８  ビス穴
９  ビス
１０  バックル
１１  ベルト
【図１】
2006087679.tif 000003
【図２】
2006087679.tif 000004
【図３】
2006087679.tif 000005
【図４】
2006087679.tif 000006
(57)【要約】【目的】従来、ゴルフの練習において、ボールの方向、距離といった弾道に気を配る練習法であったが、この練習用クラブはフェースのスイートスッポト１をくりぬくことにより、前に飛ばなければ正しいスイング、前に飛べば間違ったスイングと確認できるクラブである。【構成】ゴルフクラブのフェース面のスイートスポットあたりにゴルフボールの直径以上の穴１をあけリーディングエッジ２をボールの下に潜らせるようにスイングした時ボールが前に飛ばないようにしたクラブである。【選択図】  図１
2006087891.tif 000002
【特許請求の範囲】
【請求項１】
ゴルフクラブのフェース面にゴルフボール直径以上の穴をあけ、スイング時、ゴルフボールが本来当たらなければならないスイートスポットを通過した時のみ空振りとなる練習用ゴルフクラブ。
【発明の詳細な説明】
【発明の詳細な説明】
【０００１】  本発明は、ゴルフプレイヤーが常にナイスショットを打つ為に自分自身が目指す動きをしっかりとイメージし、それに焦点を合わせ意識を集中させる為の練習用ゴルフクラブである。
【０００２】  従来、弾道を確認することを練習目的としていたが、弾道を確認しなくても、本来ボールか当たらなければならない部分つまりフェースのスイートスポット１をくりぬけば、正しいスイングであればボールをフェースがくぐりぬけ、ボールは前に飛ばないことになる。逆にボールが前に飛ぶということは、スイートスポット以外に触れたこととなり正しくないスイングと確認できる。
【０００３】  本発明は、前に飛べば間違ったスイング、飛ばなければ正しいスイングと今までとは逆のパターンを練習するとにより、自分が目指すスイングイメージを獲得するものである。
【０００４】  打ち方としては、力まず、フェースの最下部（リーディングエッジ）２をボールに潜らせるように、または、ボールをリーディングエッジで縄跳びをさせるようなイメージでスイングすることが肝要である。
【０００５】  こうすれば、今まで、前に飛ばす事のみ考え、力任せにスイングした結果、いつまで立っても初級プレイヤーだった人も、正しいゴルフクラブの使い方を身に付け、自分自身のスイングを短期間で確立できる様になる。
【図面の簡単な説明】
【図１】  ゴルフクラブのフェースの構造である
【図２】  ゴルフクラブの打ち方である
【図１】
2006087891.tif 000003
【図２】
2006087891.tif 000004
(57)【要約】【課題】  従来の人形は生産工程が複雑な割りに楽しみ方の幅のせまいものであった。【解決手段】  うでを前に伸ばしてひざを曲げた姿勢をとらせる事によ立体的な量感と豊かな表情を持たせる事が可能になり設置する向きを変えても破綻なく成立する人形となる。  頭や両手両足に加えひざやお尻など様々な接地の仕方により多くの姿勢をとらせる事が可能となりパズルゲームのコマやサイコロとして幅広い楽しみ方を実現する。  生産性も高い上印刷や塗装により更にキャラクター性を付加する事も可能であり高い商品価値を持つ人形である。【選択図】図１
2006087893.tif 000002
【特許請求の範囲】
【請求項１】
うでを前に伸ばしてひざを曲げた姿勢の人形
【請求項２】
請求項１を用いてゲームのコマやサイコロとして使用したもの
【請求項３】
請求項２をコンピューター上で表現したもの
【発明の詳細な説明】
【技術分野】
【０００１】  本発明は各部位の比率を調整し姿勢を変えても違和感なく成立する人形に関するものである。
【背景技術】  従来の人形では使用する際に設置する向きは一つであり楽しみ方は置く場所を選ぶのみに限られていた。
【発明の開示】
【発明が解決しようとする課題】
【０００２】
【０００３】  動物を模した玩具と比較して人間の形状を再現するには複雑で多くの工程を必要としコストがかかる割りに遊びの幅のせまいものとなっていた。
【課題を解決するための手段】
【０００４】  人形の姿勢を工夫し向きを変えても違和感なく成立する形状とする。更に各部位の比率を調整する事で組み合わせ方による遊びの幅を広げる事を可能とした。
【発明を実施するための最良の形態】
【０００５】  人形の姿勢を直立した平面的なものではなく図１の様にうでを前に伸ばしひざを曲げた姿勢をとらせる事により立体的な量感と情報量を持たせる事が出来る。図２は同じ人形を向きを変えて設置したものであるがこちらはよつん這いの人形となる。図３は本発明の人形を積み上げて遊ぶパズルゲームのコマとして使用した例である。
【発明の効果】
【０００６】  従来の直立した人形と異なり本発明の人形では設置する向きにより座った姿勢とよつん這いの姿勢を違和感なくとらせる事が出来る。正位置や横位置に加えて裏向きや足先お尻を接地させた車を運転中の様な姿勢や両手と頭で接地した３点頭立など様々な設置方法があり人の姿をしている事から幅広い物語性を感じさせる事が出きる。
本発明の人形をサイコロの様に用いて遊ぶ事も出来る。一つあるいは複数個の人形をサイコロの様に放り出して止まった向きにより異なる意味を持たせて競う遊び方もある。
また本発明の人形を組み体操の要領で積み上げてインテリアとして飾る事や色々な積み上げ方によりパズルゲームとして楽しむ事が出来る。崩さずにどれだけ積めるかやどの様に積み上げるかなど重力を利用した高度なパズルゲームのコマとして使用出来る。
コマとして人形を使用するため支えあっていたり頑張っていたりと様々な物語を感じさせるため楽しく遊べる上に高い芸術性を有したパズルゲームとなる。
本発明の人形は一つの型から全体を生産可能であり生産性は非常に高い上に成形色を変えたり印刷塗装によりキャラクター性を付加価値を持たせる事で近年のキャラクタービジネス上において高い商品価値を持つものである。
【図面の簡単な説明】
【図１】本発明をななめから見た外観
【図２】図１と同じものを異なる向きに置いた際の外観
【図３】本発明を積み上げて遊ぶパズルゲームとして使用した例
【図１】
2006087893.tif 000003
【図２】
2006087893.tif 000004
【図３】
2006087893.tif 000005
(57)【要約】【課題】鍋で煮物を煮るとき長時間沸騰させてエネルギーを無駄に使用したり、煮物が焦げたりするのを防止する。【解決手段】  煮物が沸騰すると警告を発し煮詰つまるとさらに警告を発する。本発明は鍋蓋１の内側に温度センサー２、外側に取手３を取り付け、取手には沸騰または煮詰まると警告を発する制御回路を取り付ける。鍋に鍋蓋をして煮物を煮ると、温度が上がり沸騰した後煮詰まる。それにつれ発生する蒸気の温度は少しづつ上がり、温度センサーの電位もあがる。マイクロコントローラに入力信号が入力されるとブザーまたは音声で警告を発する。この警告を聞いた人が熱源を断つことにより、エネルギーを無駄に使ったり、煮物が焦げたりするのを防ぐことができる。【選択図】  図１
2006087890.tif 000002
【特許請求の範囲】
【請求項１】
鍋に鍋蓋をして煮るとき鍋蓋の内側に温度センサーを取り付け、その電位をマイクロコントローラに入力し煮物が沸騰または煮詰まったとき警告を発する制御機器。
【発明の詳細な説明】
【技術分野】
【０００１】本発明は鍋で煮物を煮るとき沸騰または煮詰まった際ブザーまたは音声で警告を発する制御機器である。
【背景技術】
【０００２】従来、鍋で煮物を煮るとき沸騰した後煮込み過ぎないように注意を払い煮られていた。しかしながら、沸騰しても気づかなかったり煮込み過ぎて煮物が焦げることがあった。
【発明の開示】
【発明が解決しようとする課題】鍋で煮物を煮るとき長時間沸騰させてエネルギーを無駄に使用したり、煮物が焦げたりするのを防止する。
【課題を解決するための手段】煮物が沸騰すると警告を発し煮詰まるとさらに警告を発する。警告を聞いた人が熱源を断つことにより上記課題は解決する。本発明は鍋の内側に温度センサーを取り付け、その電位をマイクロコントローラに入力し、沸騰または煮詰まったときブザーまたは音声で警告を発するようにしたものである。
【発明の効果】
【０００３】このようにすれば煮物が沸騰または煮詰まると警告を発し、警告を聞いた人が熱源を断つことによりエネルギーの無駄使いや煮物が焦げたりするのを防ぐことができる。
【実施例】
【０００４】本発明は図１に示すように、鍋蓋１の内側に温度センサー２を、外側に取手３を取り付け、取手には図２のような構成の制御回路を取り付けている。鍋に蓋をして煮物を煮ると沸騰した後煮詰まり温度はしだいに上昇する。それにつれ温度センサー２の電位もあがり、マイクロコントローラ４に入力信号が入るとマイクロコントローラ４はトランジスタ５に出力を行い、トランジスタ５で電流が増幅されてブザー６が鳴る。
【図面の簡単な説明】
【０００５】
【図１】本発明に係る鍋蓋の立体図である。
【図２】本発明に係る制御機器の構成を示す図である。
【符号の説明】
【０００６】１  鍋蓋
２  温度センサー
３  取手
４  マイクロコントローラ
５  トランジスタ
６  ブザー
【図１】
2006087890.tif 000003
【図２】
2006087890.tif 000004
(57)【要約】【課題】従来衣料品のディスプレーでボトム（パンツ類）の陳列方法はこれといった技術がなかった。その為単に吊り下げる方法が主流であり、着装感に欠け不自然さ  違和感が払拭できなかった。この事を解消するために、衣料品ディスプレー用補助器具を提供する。【解決手段】ボトム（パンツ類）の中に人の脚型の筒をセットし、実際着用時のデザイン、シルエットを演出する。【選択図】図１
2006087884.tif 000002
【特許請求の範囲】
【請求項１】
衣料品のディスプレーで実際の着用時のデザインやシルエットをより分かり易く表現する為に  ボトム（パンツ類）の中に入れる人の脚型の筒。
【発明の詳細な説明】
【発明の詳細な説明】
【発明に属する技術分野】
【０００１】本発明は、衣料品のディスプレーが行われている百貨店、量販店等の売場又展示会等における  ボトム（パンツ類）の陳列をより実際の着用に近ずける為のものである。
【背景技術】
【０００２】従来は、ボトムの中に何も入れず  そのまま吊り下げていた。
【発明が解決しようとする課題】
【０００３】上半身ボディー使用のディスプレーでは、ボトムはただ吊り下げてあり実際の着用時とは程遠い状況で不自然であり、違和感があった。
本発明は、この課題を解消する為になされたものである。
【課題を解決するための手段】
【０００４】ボトムの中に脚型の筒１を入れ、実際に人が着用している様にした。
また、股の部分がぶれないようにマジックテープ２で固定できるようにした。また、上半身のボディーとの間も同様に３で固定できるようにした。
また、靴下を着用できるよう４の個所にくびれを入れた。
【発明を実施するための最良の形態】
【０００５】以下、本発明の実施の形態について説明する。
（イ）．素材はビニールを使用、５の個所より空気を入れ脚型にする。
（ロ）．ボトムにセットし左右の脚をマジックテープ２で固定する。
（ハ）．マジックテープ３は上半身ボディーと固定する為のものである
（ニ）．４の個所に靴下を履かせ、着装感を演出する。
【発明の効果】
【０００６】従来不自然で違和感があった為、お客の注目度が低かったが、本発明によりデザイン、シルエット等の訴求力が高まり、商品価値が大幅に上がる。更に売場、展示会のグレードアップが期待できる。
しかも、従来の人体マネキンに比べ取り扱いが楽に出来、コスト削減にもなる。
【図面の簡単な説明】
【図１】本発明の正面図である
【図２】本発明の使用状態を示す断面図である
【符号の説明】
１  脚型の筒
２  マジックテープ
３  マジックテープ
４  靴下用のくびれ
５  空気挿入口
【図１】
2006087884.tif 000003
【図２】
2006087884.tif 000004
(57)【要約】【課題】        小さな耳穴にも安心して利用出来る軟らかな掻き出し具を提供する。【解決手段】              本体（１）は、胴体（４）と、挿入穴に挿入可能な大きさの胴体（４）と一体に設けられた先端部（３）と、先端部（３）の先端、又は、外周部に設けられたツメ（２）より構成され、本体（１）の一部又は全ては、ゴムやシリコーン等の気密性伸縮素材より成るとともに、内部が一体空間部と成っており、ツメ（２）が中空又は中実とした。以上を特徴とする掻き出し具である。【選択図】    図１
2006087885.tif 000002
【特許請求の範囲】
【請求項１】
本体（１）は、胴体（４）と、挿入穴に挿入可能な大きさの胴体（４）と一体に設けられた先端部（３）と、先端部（３）の先端、又は、外周部に設けられたツメ（２）より構成され、本体（１）の一部又は全ては、ゴムやシリコーン等の気密性伸縮素材より成るとともに、内部が一体空間部と成っており、ツメ（２）が中空又は中実とした事を特徴とする掻き出し具。
【発明の詳細な説明】
【技術分野】
【０００１】  本発明は、小さな耳穴にも安心して利用出来る軟らかな掻き出し具に関するものである。
【背景技術】
【０００２】  従来、耳垢を取り出す時には、耳掻き、綿棒等を利用していたが、耳の内壁を傷つけて出血、又は細菌感染等が有った。又、耳穴と耳掻き、綿棒等の大きさが微妙に合わずに耳垢を奥へと押し込んでしまう事が有った。
【発明の開示】
【発明が解決しようとする課題】
【０００３】  そのために、次のような問題点があった。  小さな耳穴にでも皮膚を傷つける事無く、耳垢を押し込まずに安心して利用出来る問題に配慮がなされていない。  本発明は以上の問題点を解決しようとするものである。
【課題を解決するための手段】
【０００４】  本体（１）は、胴体（４）と、挿入穴に挿入可能な大きさの胴体（４）と一体に設けられた先端部（３）と、先端部（３）の先端、又は、外周部に設けられたツメ（２）より構成され、本体（１）の一部又は全ては、ゴムやシリコーン等の気密性伸縮素材より成るとともに、内部が一体空間部と成っており、ツメ（２）が中空又は中実とした。以上を特徴とする掻き出し具である。
【発明の効果】
【０００５】  本発明は、小さな耳穴の人にも皮膚を傷つける事無く挿入出来、耳垢を押し込まずに、掻き出す事が出来る為、赤ちゃんや病人介護の場でも安心して利用する事が期待出来る。又、挿入用途箇所としては、耳穴以外に鼻の穴等にも利用が期待出来る。又、人以外に動物等にも利用が期待出来る。
【発明を実施するための最良の形態】
【０００６】以下、本発明の実施の形態を説明する。  実施例を図１、図２、図４を用いて説明する。  掻き出し具の本体（１）は、胴体（４）と、耳、鼻等の挿入穴に挿入可能な大きさの胴体（４）と一体に設けられた先端部（３）と、先端部（３）の先端、又は、外周部に設けられた垢等を掻き出す為の突起物であるツメ（２）より構成されている。  本体（１）の一部又は全てはゴムやシリコーン等の気密性伸縮素材より成るとともに、内部が一体空間と成っており、胴体（４）を圧縮する事で胴体（４）内の空気が先端方向に移動し、先端部（３）及びツメ（２）を膨張させる。  挿入箇所の内壁にツメ（２）が密着するように胴体（４）を指先で圧縮しながら、先端部（３）の膨張量を調整し、本体（１）を挿入穴から引き出す事により、垢等を効果的に掻き出す事が出来る。  他の実施例を図１、図３、図５を用いて説明する。  ツメ（２）を中空にする（図５）事により、胴体（４）を圧縮する事により、先端部（３）とともにツメ（２）が図２に示す以上に膨張する（図３）。  これにより、挿入穴の内壁とツメ（２）との密着度がより上がる事が期待出来る。  尚、上記のいずれの実施例においても、先端部（３）及び胴体（４）の直径又は長さは、挿入対象物又は挿入対象箇所に応じて変更する事が出来る。  又、図６、図７は、本発明の掻き出し具を耳穴に挿入した例を示す。  図６は耳穴挿入状態を示し、図７は耳穴挿入後の先端膨張状態を示す。
【図面の簡単な説明】
【０００７】【図１】本発明の側面図
【図２】本発明のツメ（２）が中実の時の拡張時を示す側面図
【図３】本発明のツメ（２）が中空の時の拡張時を示す側面図
【図４】本発明のツメ（２）が中実を示す断面図
【図５】本発明のツメ（２）が中空を示す断面図
【図６】本発明の耳穴挿入状態を示す要部切欠側面図
【図７】本発明の耳穴挿入先端膨張状態を示す要部切欠側面図
【符号の説明】
【０００８】    １  本体    ２  ツメ    ３  先端部    ４  胴体
【図１】
2006087885.tif 000003
【図２】
2006087885.tif 000004
【図３】
2006087885.tif 000005
【図４】
2006087885.tif 000006
【図５】
2006087885.tif 000007
【図６】
2006087885.tif 000008
【図７】
2006087885.tif 000009
(57)【要約】      （修正有）【課題】洗濯物を漬けた状態で、可変に設定できる時間放置した後に、余分な洗濯水を消費することなく洗濯ができるように、漬け洗い方式の選択と時間の設定ができる機能を装備した全自動洗濯機を提供する。【解決手段】漬け洗い時間を選択する機能を洗濯機に装備することで、漬け洗いが選択されて開始された場合でも、洗濯物を漬けた状態で一定時間放置した後は、洗剤、洗濯水、洗濯物の重量を洗濯物の総重量とせずに全自動洗濯機が制御するため、余分な洗濯水は消費されず、節水効果がある。【選択図】図１
2006087883.tif 000002
【特許請求の範囲】
【請求項１】
漬け洗い方式の選択と時間の設定ができる機能を装備した全自動洗濯機。
【発明の詳細な説明】
【技術分野】
【０００１】  本発明は、漬け洗い方式の選択と時間の設定ができる機能を装備した全自動洗濯機に関する。
【背景技術】
【０００２】  汚れの落ちにくい洗濯物を洗濯する場合、洗濯物を洗剤の入った洗濯水に放置した後に洗濯した方が効果のあることは良く知られている事実である。この方法は漬け洗いと一般に言われているが、従来の洗濯機には、漬け洗いの選択や放置時間の設定をする機能が無かった。【０００３】  例え有ったとしても、洗濯水の総量の節水効果を出すまでには至らなかった。
【発明の開示】
【発明が解決しようとする課題】
【０００４】  全自動洗濯機の中にはマイコンが組み込まれていて、洗濯水の量も自動的に制御される場合が多い。このような全自動洗濯機では、。放置後に漬け洗いの方法で洗濯する場合、洗濯の再開始時には洗剤の入った洗濯水と洗濯物の重量を洗濯物の総重量として制御されるため、洗濯水を多く使用してしまい、節水の視点から課題があった。
【課題を解決するための手段】
【０００５】  この課題を解決するために、漬け洗い時間を選択する機能を装備し、放置後の再開始時にはそのまま続行する全自動洗濯機がこの発明である。
【発明の効果】
【０００６】  本発明の全自動洗濯機では、洗濯物の重量から最適な洗濯水の量が算出されて洗濯が開始される。一定時間の予備洗濯後、漬け洗いが選択されているかどうか調べ、選択されていない場合はそのまま続行し、従来の方法で洗濯が行われる。【０００７】  漬け洗いが選択されている場合、洗濯物を漬けた状態で一定時間放置した後に、洗濯水を入れ替えることなく洗濯を再び開始し、すすぎ・脱水を行う。このため、余分な洗濯水を消費することなく全自動洗濯機の制御ができる。
この方法を使えば、放置後の洗濯水をそのまま使用できることによる汚れの落ち具合の大きさに加え、洗濯物のみの重量による洗濯・すすぎに要する水の消費量の軽減効果は大きい。【０００９】  この場合、「漬け洗い時間選択機能」の設定範囲を０時間から数十時間設定できるタイマーを組み込めば、設定時間の設定値により次の二つの用途として使い分けることができる。
設定時間を０時間以外に設定すれば漬け洗いに於ける放置時間を設定した洗濯の用途であり、０時間を設定すれば漬け洗いをしない洗濯の用途になる。
【図面の簡単な説明】
【００１０】
【図１】この発明の一実施形態を示す斜視図である。
【図２】従来技術を示す斜視図である。
【図３】漬け洗いをする場合の行程例である。
【図４】漬け洗いをしない場合の行程例である。
【符号の説明】
【００１１】  １  洗濯機の本体
２  操作スイッチ
３  漬け洗い時間の選択機能
【図１】
2006087883.tif 000003
【図３】
2006087883.tif 000004
【手続補正書】
【提出日】平成16年11月28日(2004.11.28)
【手続補正２】
【補正対象書類名】図面
【補正対象項目名】全図
【補正方法】変更
【補正の内容】
【図１】
2006087883.tif 000005
【図２】
2006087883.tif 000006
【図３】
2006087883.tif 000007
【図４】
2006087883.tif 000008
(57)【要約】      （修正有）【課題】倒立器は倒立が難しく、又倒立出来てもその構造により肩が痛い為、長時間の倒立は難しい。特に、腕力の弱い女性や子供、年配や体重が多い人などは特に難しかった。【解決手段】台盤に肩支持片を並設し肩支持片の下方に握り支持棒を取り付け、中央に頭部支持座を設置する事で三角立を土台として行う倒立器とした。【選択図】図１
2006087847.tif 000002
【特許請求の範囲】
【請求項１】
台盤の中央に頭部を支える頭部支持座を設け頭部支持座の左右両側に、倒立時の肩を支える肩支持座片を並設し、肩支持片の下方に倒立時に手で掴む握り支持棒を設けた倒立器である。
【発明の詳細な説明】
【技術分野】
【０００１】      この発明は簡単に倒立出来る健康器具である。
【背景技術】
【０００２】      従来の簡単倒立器には肩支持座（例えば特許文献１参照）。
肩支持座及び握り支持棒（例えば特許文献１参照）などを配したものがありました。【０００３】
【特許文献１】持開平０１−２８４２７０号公報
【特許文献１】持開平０９−２２５０６３号公報
【発明の開示】
【発明が解決しようとする課題】      以上に述べた従来の倒立器、図６及び図６について説明する。
図５においては、肩支持座のみで体の全体重を支える為、肩が非常に痛いと思われる。又、体重の多い人や、痩せて筋力がない人には倒立が難しいと思われる。
また図６においては、握り支持棒は設けてあるが平行バランスを取る為であり、体重を支える為ではないと思われる。その為、この倒立器でも肩が痛く長時間の倒立は難しいと思われる。
【課題を解決するための手段】
【０００４】      構成を説明（４）台盤に▲３▼握り支持棒を両側に取り付け両手で掴み、▲２▼頭部支持座に頭を置き、▲１▼肩支持片に両肩を置き倒立する。
本発明は以上のような構成よりなる簡単倒立器である。
【発明の効果】
【０００５】      簡単に倒立が出来、しかも頭・両肩・両手などの５点で支える為に長時間の倒立も楽に行える。その為、倒立時に開脚や股関節の運動なども楽に出来、美容体操にもなり、胃下垂・ぽっこり下腹・足のむくみなど、色々な事が改善される。
さらに、健康に気を使っている人から、女性や子供、年配など腕力がない人も容易に倒立する事が出来る、簡単倒立器である。
また、材料は主に間伐材を使用している為環境にも配慮したものである。
【発明を実施するための最良の形態】
【０００６】      本案の実施の形態について説明する。
両手で▲３▼握り支持棒を掴み、▲２▼頭部支持座に頭を置き、▲１▼肩支持片に両肩を付け調節する。
体をやや丸めて、腰を両手で押し上げる様にし、足を少し蹴り気味にして倒立すると容易である。
▲１▼肩支持片を着脱可能にする事により、体格の個人差を調整する事も出来るうえ、万一の転倒の際の頭部の保護にもなる。
又、握り支持棒を耳の高さ付近に設置したのは、一番力が入る場所である為である。
【図面の簡単な説明】
【０００７】
【図１】      本発明の斜視図である。
【図２】      本発明の側面図及び断面図
【図３】      本発明の平面図
【図４】      本発明の使用図
【図５】      （特許文献１）持開平０１−２８４２７０  使用図
【図６】      （特許文献１）持開平０９−２２５０６３  使用図
【符号の説明】
【０００８】▲１▼肩支持片  ▲２▼握り支持棒  ▲３▼頭部支持座  ▲４▼台盤  ▲５▼肩パット
【図１】
2006087847.tif 000003
【図２】
2006087847.tif 000004
【図３】
2006087847.tif 000005
【図４】
2006087847.tif 000006
【図５】
2006087847.tif 000007
【図６】
2006087847.tif 000008
(57)【要約】      （修正有）【課題】ボトルにストローを入れたまま、フタを自由にあけしめができて、便利かつ衛生的なストローを提供する。【解決手段】  ストローの下端に弾性部材からなるシリコン製ストローを設けた。【選択図】図１
2006087875.tif 000002
【特許請求の範囲】
【請求項１】
ストローの下端に弾性部材からなるストローを設けたことを特徴とするストロー。
【発明の詳細な説明】
【技術分野】
【０００１】  本発明はストローの下端に弾性部材からなるストローを設けたことを特徴とするストローに関する。
【背景技術】
【０００２】  従来のストローは浮き沈みができないため、飲みきらないときにストローをとりださなければフタをしめることはできなかった、したがって不便だった。
【発明の開示】
【発明が解決しようとする課題】
【０００３】  そのために次のような問題点があった。
（イ）ボトルにストローを入れたまま、自由にあけしめができない
（ロ）飲み残った時にストローをとり出さなければ、フタをしめることができなかった。
（ハ）外出中、子供が直接、容器の飲み口に口をつけ、飲む量がうまく調節できず、むせたり、こぼしたりして服を汚してしまい、困った事が多くあった。
本発明は、これらの問題点を解決するためになされたものである。
【課題を解決するための手段】
【０００４】  ストローの下端に弾性部材からなるストローを設けたことを特徴とするストローを提供する。
【発明の効果】
【０００５】  本発明はストローの下端に弾性部材からなるシリコン製ストローを設けることによってフタをしめるとストローはボトルの中に沈み、おさまる。
フタをはずせばストローの吸い口が自然に出てくる。
また、フタを取りかえる必要もないので、経済的である。
従って、自由にあけしめができて、便利かつ衛生的なストローである。
【発明を実施するための最良の形態】
【０００６】  以下、本発明の実施の形態について説明する。
ストロー（１）の下端に弾性部材からなるシリコン製ストロー（２）を嵌め込んで装着する。
本発明は、以上のような構成でこれを使用するときは、弾性部材からなるシリコン製ストロー（２）の部分を下向きにしてボトルの中にさし込む、弾性部材からなるシリコン製ストロー（２）を設けることによってストローを浮き沈みにすることができる。よって、フタ（３）をしめるとストローはボトルの中に沈みおさまる、フタ（３）をはずせば、ストローの吸い口が自然にでてくる。この結果、ストローをいれたまま、フタ（３）のあけしめができ、フタ（３）をとりかえる必要もない。
また、ストロー（１）の下端に弾性部材からなるシリコン製ストロー（２）の上端を接着しても、着脱にしても可能である。
なお、ストローの一部に弾性部材からなるシリコン製ストローを設けても同じような結果が得られる。
【図面の簡単な説明】
【０００７】
【図１】    本発明の全体図
【図２】    本発明のストローと弾性部材からなるシリコン製ストローの接合部を示す断面図
【図３】    本発明の分解図
【図４】    本発明のフタをしめたときのストローの使用状態図
【図５】    本発明のフタをあけたときのストローの使用状態図
【符号の説明】
【０００８】      １    ストロー
２    弾性部材からなるシリコン製ストロー
３    フタ
【図１】
2006087875.tif 000003
【図２】
2006087875.tif 000004
【図３】
2006087875.tif 000005
【図４】
2006087875.tif 000006
【図５】
2006087875.tif 000007
(57)【要約】【課題】  子供の成長記録を数値や背丈の変化の差を目盛りで記録するしかなかった成長記録を、より成長が実感できる形に置き換え成長過程を記録保存する。【解決手段】  身長採寸用のメジャーを用意することなく、本体に格納されている採寸テープを引き出し身長を採寸しこのテープを身長の長さに切断します。この身長の実長てあるテープを記録盤の中心軸に巻き付けます。採寸テープは左右別色で区分されているので次回の採寸テープの輪は色違いに見せることができます。このように身長と同じ長さの採寸テープを巻き続けていくと、身長記録は樹木の年輪として表され、輪の厚みは身長の実長として実存保存されていきます。【選択図】        図１
2006087880.tif 000002
【特許請求の範囲】
【請求項１】
盤の裏面にセットされている採寸テープを引き出し身長を採寸し、身長の長さで切断して盤に固定されている中心軸に巻き付け木の年輪スタイルで身長を記録保存する、身長成長記録盤。
【請求項２】
記録保存用の身長採寸テープは左右別色で色区分された目盛り表記紙と粘着面と剥離紙がサンドイッチされた状態のテープある。採寸後剥離紙を剥ぎながら中心軸に巻き付け簡便に固定ができる採寸テープ。
【発明の詳細な説明】
【発明の詳細な説明】
【技術分野】
【０００１】  本発明は子供の身長の成長記録を数値の記録に止めることなく身長の生育過程の記録を明確な形にして記録保存する身長成長記録盤に関するものである。
【背景技術】
【０００２】  子供の身長の成長記録は数値としての記録か又は長い板状のものに年代ごとに背丈の線を入れその線の巾の違いを視覚的に表し記録するに止まっている。
【発明が解決しようとする課題】
【０００３】  子供の親にとって子供の成長記録は思いで深いものです。子供の成育の中で変化の著しい身長の生育過程の記録が単なる数値であったり、背丈の生育過程が目盛りの巾として表記されるようなもの以外での成長記録方法が求められている。
【課題を解決するための手段】
【０００４】  上記の目的を達成するため、本発明は身長の採寸時に使用する採寸テープを身長の長さに切断し成長記録盤の中心にある中心軸に巻き付けます。次回の採寸時にも前回と同じように採寸、切断し同じように巻き付けていきますが、前回の採寸テープと違う色の小口が出るように巻き付けていきます。また請求項２に記載の発明の採寸テープは左右に別色区分され、かつ粘着面と剥離紙がサンドイッチ状になっているので中心軸に巻く採寸テープの色を採寸時ごとに逆色になる様に巻き付け、固定できるので採寸テープの輪は木の年輪状に形作られます。身長の実長が年輪（身輪）になり成長が厚みとして記録補保存できます。
【発明の実施の態様】
【０００５】    次に、本発明の実施態様を図１〜図４に基づいて説明する。図１は本願記録盤が壁にかかった状態の正面図、図２は記録盤と採寸テープの位置関係を示す断面図、図３は記録盤の裏面を示す背面図、図４は採寸テープの目盛りと左右の色区分を示す平面図である。
【０００６】  本発明は、図１の記録盤のベースで年輪の中心軸になる１と年輪の背景となる３、３は生い茂る樹木を下から見上げた絵が描かれたベース盤。２は採寸後切断し巻き付けた採寸テープ。図３は、１２ｍの採寸テープ４が裏面に収まった状態とテープ引き出し位置を示す図。以上の構成でなりたている。
【発明の効果】
【０００７】  このようにすれば、身長の採寸は、採寸用のメジャーを用意する必要がありません。格納されている採寸テープを引き出し採寸し、身長の長さで切断された採寸テープは身長そのものの長さに当たります。長いままでの採寸テープは記録として何本も保存することは難しいものです。採寸切断したテープを記録盤の中心軸に巻きつけることによりコンパクトにまとめることができます。巻き付けたテープの輪の厚みは、身長の長さを示しています。次の採寸で巻き付けた輪は別色になるとうに採寸テープを使い分けることにより、厚みの違いを明確に示すことができ、採寸ごとに輪の厚みが確認できます。このように巻き付かれた輪はまさに樹木の年輪の様です。年齢ごとの身長の実長が年輪の厚みとして記録、保存出来ることは、身長の成長記録を数値、目盛りに頼らない新たな記録保存方法になります。
【図面の簡単な説明】
【図１】  身長成長記録盤の正面図である。
【図２】  記録盤と採寸テープの断面図である。
【図３】  採寸テープを格納した背面図である。
【図４】  採寸テープの平面図である。
【符号の説明】
１  年輪中心軸
２  切断して巻き付けられた採寸テープ
３  樹木が下から見上げられた絵が描かれたベース盤
４  採寸テープ
５  採寸テープ取り付けリング
６  採寸テープ取り出し口
７  テープカッター
【図１】
2006087880.tif 000003
【図２】
2006087880.tif 000004
【図３】
2006087880.tif 000005
【図４】
2006087880.tif 000006
(57)【要約】【課題】１本の装身用鎖の両端に設けた宝飾部と、その側面に設けたネジとによって、指と手首に巻き付けた各々の鎖が、一体化した指輪とブレスレットに形成されることを特徴とする装身具を提供する。【解決手段】１本の装身用鎖の両端に宝飾部を連接し、その連接側面とは反対の側面にネジを設け、指と手首とを１周させた各々の鎖を各々の宝飾部にネジを介して再度固定させることにより、一体化した指輪とブレスレットが形成される装身具。【選択図】    図１
2006087873.tif 000002
【特許請求の範囲】
【請求項１】
装身用鎖の両端に宝飾部を設け、宝飾部の側面にネジ等の連絡部を設け、指と手首に巻き付けた各々の鎖を、ネジによって宝飾部に再度固定することにより、一体化した指輪とブレスレットが形成されることを特徴とする装身具。
【発明の詳細な説明】
【技術分野】
【０００１】  本発明は、１本の装身用鎖の両端に設けた宝飾部と、その側面に設けたネジ等の連絡部によって、指と手首に巻き付けた各々の鎖が、一体化した指輪とブレスレットを形成することを特徴とする装身具に関するものである。
【背景技術】
【０００２】  従来、指輪とブレスレットは別個の装身具として製造され、着用者は各々を独立させて指と手首に装着していた。
【発明の開示】
【発明が解決しようとする課題】
【０００３】  そのために、次のような問題点があった。
（イ）指輪とブレスレットを求める者は、各々を個別に入手し、その指周りと手首周りに応じてサイズ調整を依頼しなければならなかった。
（ロ）指輪とブレスレットの材質及び意匠に統一性を求める者は、それを叶えるために、特別誂えなどをしなければならなかった。
（ハ）指輪とブレスレットが対を成すものを供給しようとする場合は、製造原価が高くなり、供給者と購入者の双方にとって高価なものとなっていた。
本発明は、以上の問題点を解決するためになされたものである。
【課題を解決するための手段】
【０００４】  底面がゆるやかに湾凹した２つの宝飾部の側面に、１本の装身用鎖の両端を連接させる。鎖と宝飾部の連接側面とは反対の側面に雌ネジを設ける。このネジ穴に差し込む雄ネジの一端は、鎖の輪部以上の径を成す頭部を持つ。一方の宝飾部を着用者の指に載せ、鎖を指の根元に巻き付けてサイズを調整する。鎖の輪部に雄ネジを貫通させ、指を１周させた鎖を宝飾部の雌ネジにネジ止めし、指輪とする。同様に、他方の宝飾部は手首に載せ、鎖を手首に巻き付けてサイズの調整をした後、鎖の輪部に雄ネジを貫通させ、手首を１周させた鎖を宝飾部の雌ネジにネジ止めし、ブレスレットとする。指輪とブレスレットの二者を連結し、手の甲の上を遊動する残余の鎖は、そのまま手の甲の飾り鎖とする。以上を特徴とする装身具である。
【発明の効果】
【０００５】（イ）指輪とブレスレットを、指周りや手首周りのサイズに関係なく、１本の装身用鎖から簡便かつ廉価に作ることができる。
（ロ）統一されたファッション性と装着の楽しみを着用者に与えることができる。
【発明を実施するための最良の形態】
【０００６】  以下、本発明の実施の形態について説明する。
（イ）指周りと手首周り及び手の甲の渡り等々の全長をまかなうための、長さ３５センチ以上の装身用の鎖（３）を用いる。
（ロ）底面がゆるやかに湾凹した２つの宝飾部（１）の側面に、鎖（３）を連接させるためのフック（４）を設ける。
（ハ）鎖（３）の先端部（３ａ）を宝飾部（１ａ）の側面に、フック（４ａ）を介して連接させる。同様に、鎖（３）の後端部（３ｂ）を宝飾部（１ｂ）の側面に、フック（４ｂ）を介して連接させる。
（ニ）宝飾部（１）と鎖（３）の連接側面とは反対の側面に、雌ネジ（５）を設ける。その際、雌ネジ（５）のネジ穴に差し込む雄ネジ（２）の一端には、鎖（３）の輪部（６）より大きい径を成す頭部（７）を設ける。
本発明は、以上の構成によりなっており、これを使用するときは以下の手順による。
まず、宝飾部（１ａ）を任意の指（８）の付け根にあてがい、鎖（３ｃ）を巻き付けた後、雄ネジ（２ａ）を鎖の輪部（６ａ）に貫通させ、指の付け根の上にある宝飾部（１ａ）の雌ネジ（５ａ）にネジ止めする。この際、雄ネジ（２ａ）の頭部（７ａ）は、鎖の輪部（６ａ）の内径を上回るため、指（８）に巻き付けられた鎖（３ｃ）が指から離脱することはない。これにより指輪が形成される。
次に、鎖（３ｅ）を手首（１０）に巻き付け、宝飾部（１ｂ）を手首（１０）に載せた後、雄ネジ（２ｂ）を鎖の輪部（６ｂ）に貫通させ、手首の上の宝飾部（１ｂ）の雌ネジ（５ｂ）にネジ止めする。このときも、雄ネジ（２ｂ）の頭部（７ｂ）は鎖の輪部（６ｂ）の内径を上回るため、手首（１０）に巻き付けられた鎖（３ｅ）が手首から離脱することはない。これにより、ブレスレットが形成される。
指輪とブレスレットの二者を連結し、手の甲（９）の上を遊動する残余の鎖（３ｄ）は、そのまま手の甲の飾り鎖とする。
【図面の簡単な説明】
【０００７】
【図１】本発明の使用状態を示す斜視図
【図２】本発明の斜視図
【図３】本発明の使用中の要部拡大斜視図
【図４】本発明の左方向からの分解斜視図
【符号の説明】
【０００８】    １  宝飾部
２  雄ネジ
３  鎖
４  フック
５  雌ネジ
６  輪部
７  頭部
８  指
９  手の甲
１０  手首
【図１】
2006087873.tif 000003
【図２】
2006087873.tif 000004
【図３】
2006087873.tif 000005
【図４】
2006087873.tif 000006
(57)【要約】      （修正有）【課題】使用者の体型にかかわらず、上半身の体重のほとんどが腰に集中してしまうことのない座椅子を提供する。【解決手段】座椅子の背もたれ１の左右両側に脇掛け２を設け、その脇掛け２の幅と高さ位置を調整できるようにした。脇掛け２を収納できるようにした。【選択図】    図６
2006087878.tif 000002
【特許請求の範囲】
【請求項１】
座椅子の背もたれの左右両側に設けた脇掛けを、使用者の体型に合わせてその幅と高さを、調整できるようにしたことを特徴とする可動脇掛け付座椅子。
【請求項２】
座椅子の背もたれの左右両側に設けた脇掛けを、不使用時に邪魔にならないように収納できるようにしたことを、特徴とする可動脇掛け付座椅子。
【発明の詳細な説明】
【技術分野】
【０００１】  本発明は、座椅子の背もたれの左右に脇掛けを設け、使用者の腰への負担を軽減できるようにし、さらに脇掛けを使用者の体型に合わせ上下左右に調整できるようにし、そのうえ脇掛けを使用しないときはこれを収納できるようにした、可動脇掛け付き座椅子に関するものである。
【背景技術】
【０００２】  従来から、座椅子には使用者の体型に合わせ、上下左右に調整できる脇掛けの機能が付いていないものが利用されている。
【発明の開示】
【発明が解決しようとする課題】
【０００３】  しかし、従来のような脇掛けの機能が付いていない座椅子では、使用者の上半身の体重のほとんどが腰に集中して腰に負担を生じる。本発明は、このような不都合を解決することを課題とする。
【課題を解決するための手段】
【０００４】  この課題を解決するための請求項１の発明は、座椅子の背もたれの左右両側に脇掛けを設け、それを上下左右に調整できるようにしたことを特徴とする、可動脇掛け付き座椅子である。この座椅子を、使用することにより上半身の体重の一部を、両脇で受けることになり背筋が伸び腰への負担も軽減できる。【０００５】  また、請求項２の発明は、座椅子の背もたれの左右両側に設けた脇掛けを使用しない時、角度を変えて邪魔にならないように収納できるようにしたことを特徴とする、可動脇掛け付き座椅子である。
【発明の効果】
【０００６】  本発明により、この可動脇掛け付き座椅子の使用者は、脇掛けの幅と高さを調整して、それぞれ自分に合った状態で使用することができ、腰への負担も軽く背筋を伸して座れる。
また、この脇掛けを角度をかえて収納すれば従来からある普通の座椅子としても使用できる。
【発明を実施するための最良の形態】
【０００７】  図１は、座椅子の背もたれの左右両側に上下左右に調整できる脇掛けを設けたことを特徴とする、可動脇掛け付き座椅子の正図面である。図２は、図１の側面図である。
図３は、図１の背面図である。図１、図２、図３に示すように使用者は、可動脇掛け付き座椅子の脇掛けの位置を、ハンドルやつまみを使って上下左右に調整して自分の体型に合わすことができる。【０００８】  図４は、座椅子の背もたれの左右両側に設けた脇掛けを、不使用時に縦方向に角度を変えて、幅も最小限にして収納できることを特徴とする、可動脇掛け付き座椅子の正面図である。図５は、図４の側面図である。図４、図５に示すように収納すれば、従来通りの普通の座椅子としても使用できる。【０００９】  図６は、可動脇掛け付き座椅子の使用状態を示しており、脇掛けに脇を掛けて座ることにより、上半身の体重が腰に集中することを軽減し、背筋も伸ばせるようになる。【００１０】  本発明に係る可動脇掛け付き座椅子は、工業的に量産する事が可能であるため、産業上の利用可能性を有する。
【図面の簡単な説明】
【００１１】
【図１】  座椅子の背もたれの左右両側に、高さと幅を調整できるようにした脇掛けを設けた、可動脇掛け付き座椅子の脇掛けを使用状態にした時の正面図である。
【図２】  図１の側面図である。
【図３】  図１の背面図である。
【図４】  可動脇掛け付き座椅子の脇掛けを収納状態にした時の正面図である。
【図５】  図４の側面図である。
【図６】  可動脇掛け付き座椅子を、人が使用している状態を示す図面である。
【符号の説明】
【００１２】１    背もたれ
２    脇掛け
３    脇掛け伸縮部
４    背もたれ角度調整レバー
５    脇掛け幅調整つまみ
６    脇掛け高さ位置調整ハンドル
７    背もたれ裏面
８    座面
９    使用者
１０  床
【図１】
2006087878.tif 000003
【図２】
2006087878.tif 000004
【図３】
2006087878.tif 000005
【図４】
2006087878.tif 000006
【図５】
2006087878.tif 000007
【図６】
2006087878.tif 000008